(57)【特許請求の範囲】
【請求項１】
遊技貸し媒体貸出機に対して金員を渡すことによりその金員の価値に応じた遊技貸し媒体が、当該遊技貸し媒体の識別が可能な外形上の改変を、前記遊技貸し媒体の周辺に加えて貸出しされるように構成し；
その遊技貸し媒体を、
（１）遊技媒体貸機に投入することにより遊技媒体が遊技機に対して与えられることにより遊技機での遊技が可能となるか、
（２）遊技媒体貸機に投入して遊技者が受け取った遊技媒体を遊技機に対して与えることにより遊技機での遊技が可能となるか、
（３）一次遊技媒体貸機に投入することにより遊技者が一次遊技媒体を受け取り、この受け取った一次遊技媒体を遊技機に対して与えることにより、遊技機から与えられる二次遊技媒体により遊技が可能となるか、
（４）あるいは遊技媒体貸機を介することなく直接遊技機に投入することにより遊技機での遊技が可能となるように構成し；
（５）精算機に対して前記遊技機での遊技媒体を渡すことによりその遊技媒体の価値に応じた前記遊技貸し媒体が貸出しされるように構成した；
ことを特徴とする遊技場における遊技管理システム。
【請求項２】
遊技貸し媒体は金属製扁平円盤状体であり、遊技貸し媒体貸出機は渡した金員の価値に応じた扁平円盤状体を貸出しするものであり、精算機は渡した遊技媒体の価値に応じた扁平円盤状体を貸出しするものである請求項１記載の遊技場における遊技管理システム。
【請求項３】
遊技貸し媒体は内蔵または露出状態で記憶媒体を備えた金属製扁平円盤状体であり、遊技貸し媒体貸出機は渡した金員の価値に応じた数の扁平円盤状体を貸出しするものであり、精算機は渡した遊技媒体の価値に応じた数の扁平円盤状体を貸出しするものである請求項１記載の遊技場における遊技管理システム。
【請求項４】
遊技貸し媒体はカードであり、遊技貸し媒体貸出機は渡した金員の価値に応じたカードを貸出しするものであり、精算機は渡した遊技媒体の価値に応じたカードを貸出しするものである請求項１記載の遊技場における遊技管理システム。
【請求項５】
遊技貸し媒体はカードであり、遊技貸し媒体貸出機は渡した金員の価値に応じた情報を記録したカードを貸出しするものであり、精算機は渡した遊技媒体の価値に応じた情報を記録したカードを貸出しするものである請求項１記載の遊技場における遊技管理システム。
【請求項６】
遊技貸し媒体はカードであり、遊技貸し媒体貸出機は渡した金員の価値に応じた情報を記録したカードを貸出しするものであり、精算機は渡した遊技媒体の価値に応じた情報を前記カードに記録した上で貸出しするものである請求項１記載の遊技場における遊技管理システム。
【請求項７】
遊技貸し媒体は遊技場内においてのみ通用するものであり、遊技貸し媒体貸出機からの遊技貸し媒体の貸出に際して、当該遊技貸し媒体に対して当該遊技場から特定の情報が与えられるように構成した請求項１〜６のいずれか１項に記載の遊技場における遊技管理システム。
【発明の詳細な説明】
【０００１】
【発明の属する技術分野】
本発明は、パチンコやスロットマシンなどの遊技場における遊技管理システム及びこれに用いる遊技貸し媒体に関する。
【０００２】
【従来の技術】
この種の遊技場において、たとえば、パチンコを例に採れば、現金機においては、遊技機に隣接したパチンコ玉貸機に金員（紙幣または硬貨）を投入し、パチンコ玉を購入して発射部に供給し、他方で、いわゆるＣＲ機においては、ホール内に設置のクレジットカード貸出機に金員（紙幣または硬貨）を投入し、クレジットカードを購入し、これをＣＲ機に投入し、パチンコ玉を購入して発射部に供給し、遊技を行う。旧タイプのシステムでは、ホール内のパチンコ玉貸機に金員を投入してパチンコ玉を購入し、これを上受け皿に持ち込みパチンコ玉を発射部に供給して遊技を行う。
【０００３】
スロットマシンにおいても、遊技媒体としてのパチンコ玉がメダルになるだけで基本的に同一のシステムである。
【０００４】
一方、精算に関しては、いわゆるジェットカウンターなどの精算機にパチンコ玉を投入し、ジェットカウンターではその玉数を記録しレシートを貸出し、遊技者はそのレシートをホールのカウンターに持ち込み、景品と交換するものである。
【０００５】
【発明が解決しようとする課題】
しかし、ジェットカウンターで貸出しするレシートは、バーコードなどにより玉数を記録するもので、不正なレシートを持ち込んで、景品と交換をする不正の介入の危険性を有する。
【０００６】
このために、ホール側ではレシートは当日限り景品と交換可能であると処理しているが、遊技者側からすれば、その残玉分を利用して、別の日に遊技をしたいとの要望を満たすことができない。本来は、この要望を満たすシステムであれば、その遊技者が再び当該ホールに遊技に訪れるので、ホール経営の安定化にも繋がる。
【０００７】
なお、ジェットカウンターで精算するとき、磁気カードに景品玉数を記録し、当日ではなく、後日でもホールのカウンターに持ち込み、景品と交換することができるようにしたシステムもある。しかし、その磁気カードは景品と交換するか現金交換所に持ち込むもので、その磁気カードによって遊技をできるものではない。
【０００８】
他方、近年では１回の遊技において高額の金員の獲得が可能となったので、偽造貨幣や偽造カードの使用が行われ、ホール経営に多大の損害を与えることがある。ホールにおいては各種の対策を練っているものの、決定的な対策がないのが現状である。
【０００９】
偽造カードの使用に対する対策としては、ホール専用のカードの貸出がある。
しかし、ホール専用のカードに対して、その記録情報の書換えは比較的簡単であり、有効な対策ではない。
【００１０】
したがって、本発明の第１の課題は、遊技貸し媒体を利用して、別の日にも遊技を可能とするシステムを構築することにより、遊技者の要望を満たしつつ、ホール経営の安定化にも繋がるシステムを構築することにある。
【００１１】
第２の課題は、偽造貨幣や偽造カードの使用に対する対策として、きわめて有効な遊技場における遊技管理システムを提供することにある。
【００１２】
【課題を解決するための手段】
上記課題を解決した本発明は次記のとおりである。
＜請求項１記載の発明＞遊技貸し媒体貸出機に対して金員を渡すことによりその金員の価値に応じた遊技貸し媒体が、当該遊技貸し媒体の識別が可能な外形上の改変を、前記遊技貸し媒体の周辺に加えて貸出しされるように構成し；その遊技貸し媒体を、（１）遊技媒体貸機に投入することにより遊技媒体が遊技機に対して与えられることにより遊技機での遊技が可能となるか、（２）遊技媒体貸機に投入して遊技者が受け取った遊技媒体を遊技機に対して与えることにより遊技機での遊技が可能となるか、（３）一次遊技媒体貸機に投入することにより遊技者が一次遊技媒体を受け取り、この受け取った一次遊技媒体を遊技機に対して与えることにより、遊技機から与えられる二次遊技媒体により遊技が可能となるか、（４）あるいは遊技媒体貸機を介することなく直接遊技機に投入することにより遊技機での遊技が可能となるように構成し；精算機に対して前記遊技機での遊技媒体を渡すことによりその遊技媒体の価値に応じた前記遊技貸し媒体が貸出しされるように構成した；ことを特徴とする。
【００１３】
（作用効果）遊技者が遊技貸し媒体貸出機に対して金員を渡すと、その金員の価値に応じた遊技貸し媒体を、前記遊技貸し媒体に、当該遊技貸し媒体の識別が可能な外形上の改変を加えて貸出しされるので、この遊技貸し媒体の識別を行なった上で、これを利用して遊技機での遊技を行うことができる。遊技を終了した時点で、精算機に対して遊技機で得た景品としての遊技媒体を渡すことにより、精算機ではその遊技媒体の価値に応じた遊技貸し媒体が貸出しされるので、その遊技貸し媒体をホールのカウンターに持ち込み景品と交換するか、交換することなく持ち帰り、別の日にその遊技貸し媒体を持って、そのままそのホールにおいて、その遊技貸し媒体を利用して遊技機での遊技を行うことができる。したがって、遊技者にとっては、遊技当日において、景品遊技媒体をホールのカウンターに持ち込み他の景品と交換する手間から解放される。また、遊技貸し媒体を当該遊技場での専用とすれば（遊技貸し媒体は遊技場内においてのみ通用するものとすれば）、当該遊技場にその遊技者は再び訪れ遊技することが保証されるから、ホール経営の安定化に大きく寄与するものとなる。さらに、遊技貸し媒体を当該遊技場での専用とすれば、不正介入の危険性が著しく低下する（不正介入者は、不正の発見をおそれて同一店での介入を行うことをいやがる。また、不正介入のために要した遊技貸し媒体偽造のコストを、回収できる、リスクを加味すれば、保証はない。）。
【００１４】
＜請求項２記載の発明＞
遊技貸し媒体は金属製扁平円盤状体であり、遊技貸し媒体貸出機は渡した金員の価値に応じた扁平円盤状体を貸出しするものであり、精算機は渡した遊技媒体の価値に応じた扁平円盤状体を貸出しするものである請求項１記載の遊技場における遊技管理システム。
【００１５】
＜請求項３記載の発明＞
遊技貸し媒体は金属製扁平円盤状体であり、遊技貸し媒体貸出機は渡した金員の価値に応じた数の扁平円盤状体を貸出しするものであり、精算機は渡した遊技媒体の価値に応じた数の扁平円盤状体を貸出しするものである請求項１記載の遊技場における遊技管理システム。
【００１６】
（作用効果）
パチンコ玉貸機を想定すれば判るように、硬貨の識別機（鑑別機）と紙幣の識別機とを比較すれば、硬貨の識別機の方が識別精度及び安定性にはるかに優れている。しかも小型なものとなる。したがって、遊技貸し媒体を金属製扁平円盤状体により形成することにより、硬貨の識別機の技術の延長上で金属製扁平円盤状体によるパチンコ玉貸機を構成することができ、かつ、識別精度及び安定性に優れたものが得られる。また、請求項３記載の発明のように、価値に応じた数の貸出しが行われることは、遊技者にとっても、遊技に費やした分及び精算分が直ちに判断できるので、遊技の管理が容易である。
【００１７】
＜請求項４記載の発明＞
遊技貸し媒体はカードであり、遊技貸し媒体貸出機は渡した金員の価値に応じたカードを貸出しするものであり、精算機は渡した遊技媒体の価値に応じたカードを貸出しするものである請求項１記載の遊技場における遊技管理システム。
【００１８】
＜請求項５記載の発明＞
遊技貸し媒体はカードであり、遊技貸し媒体貸出機は渡した金員の価値に応じた情報を記録したカードを貸出しするものであり、
精算機は渡した遊技媒体の価値に応じた情報を記録したカードを貸出しするものである請求項１記載の遊技場における遊技管理システム。
【００１９】
＜請求項６記載の発明＞
遊技貸し媒体はカードであり、遊技貸し媒体貸出機は渡した金員の価値に応じた情報を記録したカードを貸出しするものであり、
精算機は渡した遊技媒体の価値に応じた情報を前記カードに記録した上で貸出しするものである請求項１記載の遊技場における遊技管理システム。
【００２０】
（作用効果）
遊技貸し媒体をカードにすることにより、金属製扁平円盤状体の場合と異なり、より多くの情報をカードに記録できるので便利である。特に、当該遊技者の遊技履歴（玉貸機または遊技台の特定、遊技で得た玉貸媒体数など）を、ホール経営に生かすことができる。
【００２１】
＜請求項７記載の発明＞
遊技貸し媒体は遊技場内においてのみ通用するものであり、遊技貸し媒体貸出機からの遊技貸し媒体の貸出に際して、当該遊技貸し媒体に対して当該遊技場から特定の情報が与えられるように構成した請求項１〜６のいずれか１項に記載の遊技場における遊技管理システム。
【００２２】
（作用効果）
遊技貸し媒体は遊技場内においてのみ通用するものであり、遊技貸し媒体貸出機からの遊技貸し媒体の貸出に際して、当該遊技貸し媒体に対して当該遊技場から特定の情報が与えられるように構成することにより、不正介入の危険性を著しく低下させることができる。
特に、遊技貸し媒体をカードにした場合には、記録情報（記録した価値に関する情報）の書換えの危険性があるが、遊技貸し媒体に対して当該遊技場から特定の情報が与えることにより、不正介入の危険性を低減できる。遊技貸し媒体に対する当該遊技場から特定の情報としては、当日限りに使用できるとする情報、あるいは有効期限内であるか否かの情報（日付情報）や、店のパスワードなどがある。
【００２３】
【発明の実施の形態】
以下本発明の実施の形態を図面を参照しながらさらに詳説する。
【００２４】
「第１の実施の形態」
まず、パチンコ遊技場における第１の実施の形態を、図１〜図３によって説明する。
パチンコ遊技場においては、周知のように、パチンコ台１，１…が並設され島２を構成している。この島２において、図示のように、パチンコ台１，１間にパチンコ玉貸機３が設けられ、パチンコ台１とパチンコ玉貸機３とが１対１の関係とされ、パチンコ台１の遊技者が隣接する左隣の遊技媒体貸機としてのパチンコ玉貸機３を専用として利用できるようになっている。
【００２５】
島２の端部やホール内の適宜の場所に遊技貸し媒体貸出機１０が設置されている。遊技貸し媒体貸出機１０は、これに金員を渡す、たとえば１０００円の紙幣を投入することにより、遊技貸し媒体２０が貸出され、この遊技貸し媒体２０の貸出に際して、当該遊技貸し媒体２０に対して当該遊技場から、具体的には遊技貸し媒体貸出機１０から特定の情報が与えられるようになっている。ここに、遊技貸し媒体２０としては、後に詳述するが、例としては図９〜図１１扁平円盤状のコイン状のものである。符号３０は後に説明する精算機である。
【００２６】
遊技貸し媒体貸出機１０は鑑別（判別）機（図示せず）を内蔵しており、これに１０００円紙幣が投入され、その紙幣が偽のもの、あるいは正規のものとして読み取れないものであれば投入口で受け付けないまたは返却する。他方、当該１０００円紙幣が正規のものであると鑑別（判別）機で判別されると、たとえばローラーやベルトなどを用いた取り込み手段により、遊技貸し媒体貸出機１０内部の金庫に対して取り込む。その代わりに、遊技貸し媒体２０を貸出しするとともに、その遊技貸し媒体２０の貸出に際して、当該遊技貸し媒体２０に対して遊技貸し媒体貸出機１０から特定の情報を付した状態で、正面の貸出口に送り出す。
【００２７】
ここで、図９に示す例に沿って説明すると、遊技貸し媒体２０としては、遊技貸し媒体貸出機１０内部に貯蔵されている段階では、周縁面がフラットな金属製の扁平円盤状のコインとされたもので、遊技貸し媒体貸出機１０による貸出時において、内蔵の加工記録手段１０Ａ（図２参照）により、その周縁面に対して、特定の（固有の）凹凸が付与される。より具体的には、コイン２０（Ａ）の周縁面に、たとえばバーコード記録様に、規則的櫛歯に対して一部の歯を抜かした態様で、凹凸を付与することができる。この凹凸付与例によれば、後に図１２をもって説明するように、コイン２０（Ａ）の転動搬送時における摩擦力が高いものとなるので、転動搬送が安定する利点をもたらす。
【００２８】
この特定の情報は、コイン２０（Ａ）が当該ホールにより貸出したものであることの保証のために利用できる（換言すれば、他のホールからの持ち込みを許さないあるいは偽コインの受け付けを許さないことに利用できる）。さらに好ましくは、それぞれ貸出しするコイン２０（Ａ）相互の区別の情報をも与える。ここで、当該ホールにより貸出したコイン共通の情報では、当該ホールに対する大量のコイン偽造を防止でき難いのに対して、それぞれ貸出しするコイン２０（Ａ）相互を区別する固有情報をも与えて、下流のコイン２０（Ａ）利用段階で、そのコインの固有情報に基づいて当該ホールから貸出したものか否かを判別し、当該ホールから貸出したものではない場合には拒否するようにすれば、偽造できたとしても１個限りであるので、大量のコイン偽造は確実に防止できる。
【００２９】
コイン２０（Ａ）の金額単位は、１００円、５００円、１０００円、２０００円など適宜とすることができる。また、遊技貸し媒体貸出機１０では、複数の金額単位のコインの貸出も可能である（たとえば、選択ボタンの選択により、１０００円投入により、５００円コインを１枚、１００円コインを５枚貸出）。ただし、コイン２０（Ａ）の金額単位が過度に高額であると、偽造のおそれがあるので、２０００円、望ましくは１０００円以下が好ましい。本例では、５００円相当分としてあるので、１０００紙幣を遊技貸し媒体貸出機１０に投入すると、２枚のコイン２０（Ａ）が貸出しされる。
【００３０】
遊技者は、貸出されたコイン２０（Ａ）を受け取って、パチンコ玉貸機３にその投入口３ｃを介して投入してパチンコ玉の払い出しを受ける。パチンコ玉貸機３は、当該コイン２０（Ａ）に対するに鑑別（判別）機（図示せず）を内蔵しており、ここで投入コイン２０（Ａ）の正偽が判別され、偽のもの、あるいは正規のものとして読み取れないものであれば投入口３ｃで受け付けないまたは返却口３ａに返却する。通常の硬貨の投入があった場合にも、返却口３ａに返却できる。
【００３１】
他方、当該コイン２０（Ａ）が正規のものであると鑑別（判別）機で判別されると、たとえばローラーやベルトなどを用いた取り込み手段により、パチンコ玉貸機３内部の金庫に対して取り込むか、図示のように、島に沿って設けた、各パチンコ玉貸機（遊技媒体貸機）３，３…に投入された正規のコイン２０（Ａ）を島端部まで回収する回収装置４に対して渡し、島端部の金庫５に回収する。
【００３２】
各パチンコ玉貸機３では、当該コイン２０（Ａ）を受け入れると、所定数のパチンコ玉Ｐを付属のノズル３ｂを介してパチンコ機１の上受け皿１ａに払い出す。これにより、遊技者はハンドル１ｂの操作によりパチンコ機１での遊技が可能となる。
【００３３】
続いてはコイン一般としてコイン２０で説明すると、島端部の金庫５に回収した各コイン２０は、必要時において金庫５から遊技貸し媒体貸出機１０のホッパー１０Ｂに、揚送機６を介してあるいは店員が手で持ってそのまま戻して再利用を図るか、研磨機能を有する揚送機６においてコイン２０の周縁面に付した凹凸を研磨し、当初のフラット化を図った上で、コイン２０の貸出時に加工記録手段１０Ａにより改めて、特定の情報を与えることもできる。
【００３４】
ここで、図示のように、遊技貸し媒体貸出機１０の加工記録手段１０Ａでは、コイン２０に与えた特定の情報（たとえばどのように凹凸を付したか）を、直接的に、あるいは島端部の島単位コンピュータ５０を介して、当該遊技場のメインのホールコンピュータ６０に出力する。コンピュータ５０または６０は、その特定の情報を、パチンコ玉貸機３の鑑別（判別）機に与え、当該コイン２０について当遊技場で貸出したものか否かの正偽判別に利用する。
【００３５】
さらに、ホールコンピュータ６０では、遊技貸し媒体貸出機１０での金員の受け入れ金額ではなく、貸出したコイン数あるいはその金額単位に基づいて、売上管理を行うこともできる。また、パチンコ玉貸機３で受け入れたコイン数あるいはその金額単位に基づいて、当該単位パチンコ玉貸機３での売上（当該単位パチンコ機１での売上と同視できる）管理を行うこともできる。
【００３６】
「第２の実施の形態」
図４に示す第２の実施の形態においては、遊技貸し媒体貸出機１０が遊技場のカウンター７に設置したものである。カウンター７では、店員が遊技者から金員（たとえば１０００円）を受け取って、その金員に見合った金額単位のコイン２０を貸出しするものである。この遊技貸し媒体貸出機１０は、周縁面がフラットのコインに対して加工記録手段１０Ａにより特定の情報を記録して貸出しするものである。加工記録手段１０Ａでの特定の情報は、ホールコンピュータ６０に記録化される。他の構成は第１の実施の形態と同様であるが、金庫５に回収されたコイン２０は、店員が手で持ってそのままホッパー１０Ｂに戻して再利用を図ることができる。
【００３７】
「第３の実施の形態」
図５に示す第３の実施の形態においては、ノズル３ｂを有しないパチンコ玉貸機３Ａの場合の例であり、したがった、遊技者はパチンコ機１，１間のパチンコ玉貸機３Ａか、島端部に設けられたパチンコ玉貸機３Ｂに、コイン２０を投入してパチンコ玉Ｐを購入し、払い出し口３ｄまたは３ｅで受け取ったパチンコ玉Ｐを上受け皿１ａに流し込み、ハンドル１ｂの操作によりパチンコ機１での遊技が可能となる態様である。
【００３８】
パチンコ機１，１間のパチンコ玉貸機３Ａ、及び島端部に設けられたパチンコ玉貸機３Ｂは、判別機を内蔵し、コイン２０の正偽を判別するとともに、インターフェースを備え、特定の情報をホールコンピュータ６０との間でやり取りし、正偽判別に利用するとともに、売上情報を出力する。
【００３９】
この例では、金庫５に回収されたコイン２０を、店員が手で持ってそのままホッパー１０Ｂに戻して再利用を図る前に、別途研磨手段などの記録消し手段８を設けてある。
【００４０】
「第４の実施の形態」
図６に示す第４の実施の形態においては、いわゆるＣＲ機、クレジットカード方式によるパチンコ機１Ａの場合の例であり、遊技者は遊技貸し媒体貸出機１０に対して金員を渡すことにより受け取った、遊技貸し媒体としてのコイン２０を一次遊技媒体貸機としての遊技カード貸出機３０に投入し、投入コイン相当の金額の、一次遊技媒体としての遊技カード２１を受け取り、この受け取った遊技カード２１をパチンコ機１Ａに対して与えることにより、具体的には付属の遊技カード投入口１Ｈに投入し、上受け皿１ａに設けられた遊技開始ボタン１ｆを押して、所定数の二次遊技媒体としてのパチンコ玉Ｐを上受け皿１ａに受け取り、これによりパチンコ機１Ａでの遊技が可能となるように構成したものである。
【００４１】
この例においては、遊技貸し媒体としてのコイン２０の正偽は一次遊技媒体貸機としての遊技カード貸出機３０に付属する判別手段（図示せず）により判別される。また、パチンコ機１Ａの遊技カード投入口１Ｈに付属する判別手段により、当該遊技カード２１正偽が判別される。これらのうち少なくとも一方で判別すればよいが、遊技カード貸出機３０でコイン２０の正偽を判別することはきわめて重要である。コイン２０が偽であれば遊技カード２１を貸出しないし、また遊技カード２１が偽であればパチンコ機１Ａからパチンコ玉Ｐを遊技者に対して与えないように構成する。
【００４２】
投入された遊技カード２１は、回収装置４Ａにより金庫５Ａに回収することができる。コイン２０は、金庫５に回収する。
【００４３】
「第５の実施の形態」
図７に示す第５の実施の形態においては、スロットマシン１Ｂの場合の例であり、遊技者は遊技貸し媒体貸出機１０に対して金員を渡すことにより受け取った、遊技貸し媒体としてのコイン２０を遊技媒体貸機としてのメダル貸機４０に投入し、投入コイン相当の金額の、遊技媒体としてのメダル２２を受け取り、この受け取ったメダル２２をスロットマシン１Ｂに対して与えることにより、具体的には付属のメダル投入口１Ｊに投入し、遊技開始ハンドル１ｇを押すことにより、スロットマシン１Ｂでの遊技が可能となるように構成したものである。
【００４４】
この例においては、遊技貸し媒体としてのコイン２０の正偽はメダル貸機４０に付属する判別手段（図示せず）により判別される。また、スロットマシン１Ｂのメダル投入口１Ｊに付属する判別手段により、当該メダル２２正偽が判別される。これらのうち少なくとも一方で判別すればよいが、メダル貸機４０でコイン２０の正偽を判別することはきわめて重要である。コイン２０が偽であればメダルを貸出しないし、またメダル２２が偽であればスロットマシン１Ｂが作動しないように構成する。
【００４５】
投入されたメダル２２は、回収装置４Ｂにより金庫５Ｂに回収することができる。コイン２０は、金庫５に回収する。
【００４６】
「第６の実施の形態」
図８に示す第６の実施の形態においては、同じくスロットマシン１Ｂの場合の例であるが、島端部のメダル貸機４０のほかに、あるいはこれ無くして、スロットマシン１Ｂに隣接して、メダル貸機４０Ａが設けられた例である。
【００４７】
この例においては、島端部のメダル貸機４０にコイン２０投入して、投入コイン相当の金額の、遊技媒体としてのメダル２２を受け取るほか、スロットマシン１Ｂに隣接したメダル貸機４０Ａの投入口４０ｂに、コイン２０投入して、投入コイン相当の金額の、遊技媒体としてのメダル２２を受け取り、この受け取ったメダル２２をスロットマシン１Ｂに対して与えることにより、スロットマシン１Ｂでの遊技が可能となるように構成したものである。
【００４８】
メダル貸機４０Ａの投入口４０ｂにコイン２０を投入すると、コイン２０の受け入れ通路に設けられた付属する判別手段（図示せず）によりコイン２０の正偽が判別され、正規のコイン２０である場合のみにおいて、メダル２２が渡し口４０ａから渡される。
【００４９】
「その他の実施の形態」
一方、遊技媒体貸機を介することなく、コイン２０を直接遊技機に投入することにより遊技機での遊技が可能となるように構成することもできる。たとえば、スロットマシン１Ｂでは、メダルを使用するものであるから、コイン２０をメダルと同形状することにより、あるいはスロットマシン１Ｂをコイン２０で作動するように改造することにより、貸出されたコイン２０を、スロットマシン１Ｂ直接的に投入することにより当該スロットマシン１Ｂでの遊技が可能となるように構成することもできる。この場合には、スロットマシン１Ｂのメダル投入口１Ｊに付属する判別手段により、当該メダル２２正偽を判別するようにする。
【００５０】
なお、上記各実施の形態の説明から判るように、本発明でいう「遊技貸し媒体貸出機に対して金員を渡すことにより遊技貸し媒体が貸出され」ることの意味は、遊技貸し媒体貸出機１０に対して金員を直接投入することのほか、金員を店員に渡して、店側から遊技貸し媒体貸出機１０によりコイン２０を受けること、の両者の形態を含むものである。
【００５１】
さらに、本発明においては、遊技機での遊技が可能となる以前の段階で、遊技貸し媒体（コイン２０）の正偽が、特定の情報に基づいて判別され、偽であれば最終的に遊技機での遊技を不能とするものであればよく、判別手段の位置を必ずしも限定されない。
【００５２】
＜遊技貸し媒体の形態＞
第１の遊技貸し媒体の形態については、図９に基づいて凹凸２０ａを有するコイン２０Ａについて説明した。
【００５３】
第２の例を図１０に示した。この形態のコイン２０Ｂは、扁平円盤状体であり、その周辺部に対して、バーコード記録様の透孔２０ｂまたは凹凸を円弧状または直線状に形成することにより特定の情報を与えるようにしたものである。
【００５４】
この第２の例とほぼ同様に、円形の透孔２０ｂまたは凹凸に代えて、複数の凹溝を円弧状または直線状に形成することでもよい。
【００５５】
さらに、図１１に示すように、コイン２０Ｃに内蔵または露出状態で、記録媒体２０ｃを組み込んでもよい。この記録媒体２０ｃとしては、小型ＩＣカードや磁気記録媒体などを用いることができる。
【００５６】
かかるコインについての正偽判別のためには、対応する特定情報の読み取り手段により特定の情報を読み取ることができる。たとえば、コイン２０Ａ及びコイン２０Ｂについては、周縁面または周辺部に対する光学的読み取り手段により読み取ることができる。磁気記録媒体が組み込まれている場合には、磁気検出ヘッドにより、小型ＩＣカードが組み込まれている場合には、電気的検出ヘッドにより読み取ることができる。
【００５７】
コイン２０Ｂについて例にとると、図１２に示すように、コイン２０Ｂの投入口を有する受け入れ路７０に臨んで、搬送ベルト７１ａを巻き掛けたベルトコンベア７１を配置し、受け入れコイン２０Ｂをベルトコンベア７１により転動させて回収路７２を通して回収装置４に送る搬送過程で、個別の透孔２０ｂについて光センサ７３により光が透過するか否かを検出し、これらを所定の円弧長さ分検地することにより、どのような形態で透孔２０ｂ，２０ｂ…群が形成されているかを、判別機７４により判別することにより、正偽判断を行うことができる。そして、偽造のものであれば、シャッター７５を作動させて、返却通路７６に切り替え、返却することができる。
【００５８】
他方、遊技貸し媒体としては、扁平円盤状体でなく、たとえば扁平の角状体などでもよい。いずれにしても、紙やプラスチックなどではなく、金属製のものが長期にわたって再利用が可能である、形状の付与が可能であるなどの点において最適である。
【００５９】
「遊技管理システム全体と精算機について」
さて、本発明においては、パチンコ遊技の場合にはパチンコ玉、スロットマシンの場合にはメダルを、遊技者が精算できる。
＜パチンコ遊技の場合の第１の例＞
これを遊技場における遊技管理システム全体とともに図１３により説明すると、遊技を終了した時点で、たとえば島の端部に設置されているいわゆるジェットカウンターなどの精算機１００に、パチンコ玉Ｐを投入し、その玉数に応じた数分のコイン２０（２０Ａ）を受け取る（コインが５００円相当の価値とすれば、１００００円相当の出玉であれば、２０枚のコインを受け取る）。
【００６０】
この受取コイン２０（２０Ａ）は、ホール内のカウンターで景品と交換するほか、遊技者が持ち帰り、後日、遊技貸し媒体貸出機１０からの貸出しを受けることなく、持ち帰ったコイン２０（２０Ａ）により遊技を行うことができる。
【００６１】
＜スロットマシン遊技の場合の例＞
このパチンコ遊技例に対して、スロットマシン遊技においても、図示しないが同様に、遊技を終了した時点で、たとえば島の端部や適宜のホール内位置に設置されているいわゆるメダルカウンターなどの精算機に、メダルを投入し、そのメダル数に応じた数分のコイン２０（２０Ａ）を受け取り、この受取コイン２０（２０Ａ）は、ホール内のカウンターで景品と交換するほか、遊技者が持ち帰り、後日、持ち帰ったコイン２０（２０Ａ）により遊技を行うことができる。この場合におけるコイン２０の利用形態は、前述の例に従うことができる。
【００６２】
＜パチンコ遊技の場合の第２の例＞
他方、図１４は遊技貸し媒体としてカードを利用する形態を示してある。すなわち、いわゆるＣＲ機、クレジットカード方式によるパチンコ機１Ａの場合の例であり、遊技者は、たとえば島の端部に設けられた遊技カード貸出機３０Ａに金員（たとえば５０００円）を投入し、投入金額相当の情報記録がなされた遊技カード２１を受け取り、この受け取った遊技カード２１をパチンコ機１Ａに対して与えることにより、具体的には付属の遊技カード投入口１Ｈに投入し、上受け皿１ａに設けられた遊技開始ボタン１ｆを押して、所定数のパチンコ玉Ｐを上受け皿１ａに受け取り、これによりパチンコ機１Ａでの遊技が可能となるように構成したものである。
【００６３】
この例においては、遊技カード貸出機３０Ａは、付属する判別手段（図示せず）により投入金額相当の情報記録、及び当該ホールで発行した旨の情報記録をも行う。また、ホールに申し出ることにより、金額情報が記録されていないブランクカードを無料でまたは小額の有料でホールから借り受け、これを遊技カード貸出機３０Ａに対して挿入した上で、金員（たとえば５０００円）をも投入し、当該ブランクカードにその投入金額相当の情報録の記録を受け、これを遊技カード２１とすることもできる。
【００６４】
かかる遊技カード２１は、パチンコ機１Ａの遊技カード投入口１Ｈに付属する判別手段（図示せず）により、当該遊技カード２１の正偽が、または当該ホールのものか否か判別される。また、正規のものであるとき、記録情報分の金額の遊技が保証される。遊技カード２１が偽であれば、あるいは当該ホールのものでないときは、パチンコ機１Ａからパチンコ玉Ｐを遊技者に対して与えないように構成する。
【００６５】
遊技を終了した時点で、たとえば島の端部に設置されているいわゆる記録手段を有するジェットカウンターなどの精算機１００Ａに、遊技カード２１を挿入するとともに、パチンコ玉Ｐを投入し、遊技カード２１にその投入玉数に応じた数に関する情報記録を受ける。精算機１００Ａは、これに対する投入玉数の計数と、その投入玉数から、遊技の過程で消費した数を減算して残パチンコ玉数とし、これに関する情報記録を、挿入した遊技カード２１に対して行うものである。
【００６６】
この情報記録済み遊技カード２１Ａは、ホール内のカウンターで景品と交換するほか、遊技者が持ち帰り、後日、遊技カード貸出機３０Ａからの貸出しを受けることなく、持ち帰った情報記録済み遊技カード２１Ａにより遊技を行うことができる。
【００６７】
（その他）
コイン２０（２０Ａ）、遊技カード２１及び２１Ａは、当該遊技場限りで有効とするものが望ましいが、相互にセキュリティー管理が行き届くシステムを構築する場合には、複数の遊技場で共通に利用できるものでもよい。この場合には、貸出ホールの特定情報のほか、そのシステム内のものであることについても、情報記録することにより、セキュリティー管理を図ることができる。さらに、貸出開始日を記録して有効期限管理を行うと、セキュリティー管理上さらに望ましい。
【００６８】
【発明の効果】
以上のとおり、本発明によれば、遊技貸し媒体を利用して、別の日にも遊技を可能とするシステムを構築することにより、遊技者の要望を満たしつつ、ホール経営の安定化にも繋がるシステムを構築することができる。
また、偽造貨幣や偽造カードの使用に対する対策として、きわめて有効な対策ともなり得る。
【図面の簡単な説明】
【図１】第１の実施の形態の全体的概要図である。
【図２】その要部説明図である。
【図３】パチンコ機の正面図である。
【図４】第２の実施の形態の要部説明図である。
【図５】第３の実施の形態の要部説明図である。
【図６】第４の実施の形態の要部説明図である。
【図７】第５の実施の形態の要部説明図である。
【図８】第６の実施の形態の要部説明図である。
【図９】第１のコインの形態の正面図である。
【図１０】他のコインの形態の正面図である。
【図１１】別のコインの形態の正面図である。
【図１２】コイン取り込み形態例の説明図である。
【図１３】遊技場における遊技管理システム全体とともに精算の態様を示す全体的概要図である。
【図１４】遊技場における遊技管理システム全体とともに精算の他の態様を示す全体的概要図である。
【符号の説明】
１，１Ａ…パチンコ機、１Ｂ…スロットマシン、１ａ…上受け皿、２…島、３，３Ａ…パチンコ玉貸機、３ｂ…ノズル、４，４Ａ，４Ｂ…回収装置、５，５Ａ，５Ｂ…金庫、７…カウンター、１０…遊技貸し媒体貸出機、１０Ａ…加工記録手段、２０，２０Ａ，２０Ｂ，２０Ｃ…遊技貸し媒体（コイン）、２１…遊技カード、２１Ａ…情報記録済み遊技カード、２２…メダル、３０,３０Ａ…遊技カード貸出機、４０，４０Ａ…メダル貸機、５０…島コンピュータ、６０…ホールコンピュータ、７３…光センサ、７４…判別機、１００,１００Ａ…精算機、Ｐ…パチンコ玉。
【図１】
0004660914.tif 000002
【図２】
0004660914.tif 000003
【図３】
0004660914.tif 000004
【図４】
0004660914.tif 000005
【図５】
0004660914.tif 000006
【図６】
0004660914.tif 000007
【図７】
0004660914.tif 000008
【図８】
0004660914.tif 000009
【図９】
0004660914.tif 000010
【図１０】
0004660914.tif 000011
【図１１】
0004660914.tif 000012
【図１２】
0004660914.tif 000013
【図１３】
0004660914.tif 000014
【図１４】
0004660914.tif 000015